(57)【要約】【課題】  建物ユニットの剛性の低下を押さえつつも開口部の拡大化を可能とすることである。【解決手段】  複数本の柱と上下の梁とを接合することによって直方体形状に形成された建物ユニットを一対備え、当該一対の建物ユニットの少なくとも１つの互いの上側の梁が直線状に配置されるように、前記一対の建物ユニットが隣接配置されたユニット式建物の設置構造である。一対の建物ユニットにおける直線状に配置された前記互いの上側の梁には、当該梁に沿って延在し、互いの上側の梁同士に結合される補強梁が設けられている。建物ユニットにおける複数本の柱のうち、補強梁の端部以外の部分に対向する柱は取り外されている。一対の建物ユニットにおける直線状に配置された互いの上側の梁を備える外壁部には、取り外された柱の領域を含むように開口部が形成されている。【選択図】図１
2014043753.tif 000002
【特許請求の範囲】
【請求項１】
複数本の柱と上下の梁とを接合することによって直方体形状に形成された建物ユニットを一対備え、当該一対の建物ユニットの少なくとも１つの互いの上側の梁が直線状に配置されるように、前記一対の建物ユニットが隣接配置されたユニット式建物の設置構造において、
前記一対の建物ユニットにおける直線状に配置された前記互いの上側の梁には、当該梁に沿って延在し、前記互いの上側の梁同士に結合される補強梁が設けられていて、
前記建物ユニットにおける前記複数本の柱のうち、前記補強梁の端部以外の部分に対向する柱は取り外されており、
前記一対の建物ユニットにおける前記直線状に配置された前記互いの上側の梁を備える外壁部には、前記取り外された柱の領域を含むように開口部が形成されていることを特徴とするユニット式建物の設置構造。
【請求項２】
請求項１記載のユニット式建物の設置構造において、
前記建物ユニットにおける前記開口部を遮らない位置には追加柱が設けられることを特徴とするユニット式建物の設置構造。
【請求項３】
請求項１又は２記載のユニット式建物の設置構造において、
前記開口部の機能的構造を備えた外壁パネルユニットをさらに備え、
前記外壁パネルユニットは、前記一対の建物ユニットにおける前記直線状に配置された前記互いの上側の梁を備える外壁部に取り付けられていることを特徴とするユニット式建物の設置構造。
【請求項４】
複数本の柱と上下の梁とを接合することによって直方体形状に形成された建物ユニットを一対備え、当該一対の建物ユニットの少なくとも１つの互いの上側の梁が直線状に配置されるように、前記一対の建物ユニットが隣接配置されたユニット式建物の設置方法において、
前記一対の建物ユニットにおける直線状に配置された前記互いの上側の梁に対して、当該梁に沿って延在する補強梁を結合し、
前記建物ユニットにおける前記複数本の柱のうち、前記補強梁の端部以外の部分に対向する柱を取り外し、
前記一対の建物ユニットにおける前記直線状に配置された前記互いの上側の梁を備える外壁部に、前記取り外された柱の領域を含むように開口部を形成することを特徴とするユニット式建物の設置方法。
【請求項５】
請求項４記載のユニット式建物の設置方法において、
前記建物ユニットにおける前記開口部を遮らない位置には追加柱を設けることを特徴とするユニット式建物の設置方法。
【請求項６】
請求項４又は５記載のユニット式建物の設置方法において、
前記開口部の機能的構造を備えた外壁パネルユニットを、前記一対の建物ユニットにおける前記直線状に配置された前記互いの上側の梁を備える外壁部に取り付けることを特徴とするユニット式建物の設置方法。
【発明の詳細な説明】
【技術分野】
【０００１】
本発明は、ユニット式建物の設置構造及びユニット式建物の設置方法に係り、特に複数の建物ユニットを備えるユニット式建物の設置構造及びユニット式建物の設置方法に関する。
【背景技術】
【０００２】
従来より、ユニット式建物においては、箱状に形成された建物ユニットを複数並べて組み合わせすることで施工される。建物ユニットは、複数本の柱と、これらの柱の上端間同士を結合する複数本の天井梁と、柱の下端間同士を結合する複数本の床梁とによって略直方体状の骨組みが形成されるとともに、必要に応じて骨組みに外壁材を取り付けられているものである（例えば特許文献１参照）。
そして、玄関やバルコニー等の開口部を設ける場合には、例えば図９に示すように、建物ユニット１００の一対の柱１０１間の外壁材１０２に開口部１０３形成するのが一般的である。
【先行技術文献】
【特許文献】
【０００３】
【特許文献１】特開２０１２−２６１０５号公報
【発明の概要】
【発明が解決しようとする課題】
【０００４】
ところで、顧客によっては、一対の柱１０１間よりも大きく開口部１０３を設けたいという要望もあるが、この場合一対の柱１０１の一方を取り外さなければならず建物ユニット１００の剛性が低下してしまうのが懸念される。
このため、本発明の課題は、建物ユニットの剛性の低下を押さえつつも開口部の拡大化を可能とすることである。
【課題を解決するための手段】
【０００５】
請求項１記載の発明は、例えば図１に示すように、
複数本の柱２１と上下の梁２２，２３とを接合することによって直方体形状に形成された建物ユニット２を一対備え、当該一対の建物ユニット２の少なくとも１つの互いの上側の梁２２ａが直線状に配置されるように、前記一対の建物ユニット２が隣接配置されたユニット式建物１の設置構造において、
前記一対の建物ユニット１における直線状に配置された前記互いの上側の梁２２ａには、当該梁２２ａに沿って延在し、前記互いの上側の梁同士に結合される補強梁３が設けられていて、
前記建物ユニット２における前記複数本の柱２１のうち、前記補強梁３の端部以外の部分に対向する柱２１は取り外されており、
前記一対の建物ユニット２における前記直線状に配置された前記互いの上側の梁２２ａを備える外壁部５には、前記取り外された柱２１の領域を含むように開口部４３が形成されていることを特徴としている。
【０００６】
請求項１記載の発明によれば、一対の建物ユニット２における直線状に配置された互いの上側の梁２２ａを備える外壁部５に、取り外された柱２１の領域を含むように開口部４３が形成されているので、１つの建物ユニットの柱間に開口部を設ける場合よりも大きな開口部４３を形成することができる。
そして、隣接する一対の建物ユニット２における直線状に配置された互いの上側の梁２２ａに、当該梁２２ａに沿って延在する補強梁３が、前記互いの上側の梁２２ａ同士に結合されているので、柱２１が取り除かれたとしても建物ユニット２の剛性を維持することができる。
したがって、建物ユニット２の剛性の低下を押さえつつも開口部４３の拡大化が可能となる。
【０００７】
請求項２記載の発明は、請求項１記載のユニット式建物の設置構造において、例えば図２に示すように、
前記建物ユニット２における前記開口部４３を遮らない位置には追加柱６が設けられることを特徴としている。
【０００８】
請求項２記載の発明によれば、開口部４３を遮らない位置に追加柱６が設けられているので、追加柱６によって補強されることとなり、開口部４３の大きさを確保しつつも、建物ユニット２の剛性を高めることができる。
【０００９】
請求項３記載の発明は、請求項１又は２記載のユニット式建物の設置構造において、例えば図１に示すように、
前記開口部４３の機能的構造を備えた外壁パネルユニット４をさらに備え、
前記外壁パネルユニット４は、前記一対の建物ユニット３における前記直線状に配置された前記互いの上側の梁２２ａを備える外壁部５に取り付けられていることを特徴としている。
【００１０】
請求項３記載の発明によれば、開口部４３の機能的構造を備えた外壁パネルユニット４が、一対の建物ユニット２における直線状に配置された互いの上側の梁２２ａを備える外壁部５に取り付けられているので、外壁パネルユニット４を工場で製作し、現場で一対の建物ユニット２に取り付けることが可能となる。これにより、現場での作業性を高めることができる。
【００１１】
請求項４記載の発明は、例えば図１に示すように、
複数本の柱２１と上下の梁２２，２３とを接合することによって直方体形状に形成された建物ユニット２を一対備え、当該一対の建物ユニット２の少なくとも１つの互いの上側の梁２２ａが直線状に配置されるように、前記一対の建物ユニット２が隣接配置されたユニット式建物１の設置方法において、
前記一対の建物ユニット２における直線状に配置された前記互いの上側の梁２２ａに対して、当該梁２２ａに沿って延在する補強梁３を結合し、
前記建物ユニット２における前記複数本の柱２１のうち、前記補強梁３の端部以外の部分に対向する柱２１を取り外し、
前記一対の建物ユニット２における前記直線状に配置された前記互いの上側の梁２２ａを備える外壁部５に、前記取り外された柱２１の領域を含むように開口部４３を形成することを特徴としている。
【００１２】
請求項４記載の発明によれば、請求項１記載の発明と同等の作用効果を奏することができる。
【００１３】
請求項５記載の発明は、請求項４記載のユニット式建物の設置方法において、例えば図２に示すように、
前記建物ユニット２における前記開口部４３を遮らない位置には追加柱６を設けることを特徴としている。
【００１４】
請求項５記載の発明によれば、請求項２記載の発明と同等の作用効果を奏することができる。
【００１５】
請求項６記載の発明は、請求項４又は５記載のユニット式建物の設置方法において、例えば図１に示すように、
前記開口部４３の機能的構造を備えた外壁パネルユニット４を、一対の建物ユニット２における前記直線状に配置された前記互いの上側の梁２２ａを備える外壁部５に取り付けることを特徴としている。
【００１６】
請求項６記載の発明によれば、請求項３記載の発明と同等の作用効果を奏することができる。
【発明の効果】
【００１７】
本発明によれば、建物ユニットの剛性の低下を押さえつつも開口部の拡大化が可能となる。
【図面の簡単な説明】
【００１８】
【図１】本実施形態に係るユニット式建物の設置構造の概略構成を示す斜視図である。
【図２】図１のユニット式建物の断面構成を部分的に示す断面図である。
【図３】本実施形態に係るユニット式建物に備わる補強梁の要部構成を示す斜視図である。
【図４】本実施形態に係るユニット式建物の設置方法の一工程を示す斜視図である。
【図５】本実施形態に係るユニット式建物の設置方法の一工程を示す斜視図である。
【図６】本実施形態に係るユニット式建物の設置方法の一工程を示す斜視図である。
【図７】本実施形態に係るユニット式建物の設置方法の一工程を示す斜視図である。
【図８】本実施形態に係るユニット式建物の設置方法の一工程を示す斜視図である。
【図９】従来のユニット式建物の断面構成を部分的に示す断面図である。
【発明を実施するための形態】
【００１９】
以下、図面を参照して本発明の実施の形態について説明する。
図１は、本実施形態に係るユニット式建物の設置構造の概略構成を示す斜視図である。図２は、ユニット式建物の断面構成を部分的に示す断面図である。
図１及び図２に示すように、ユニット式建物１には、少なくとも一対の建物ユニット２が設けられている。
建物ユニット２は、複数本の柱２１と、これらの柱２１の上端間同士を結合する複数本の梁２２と、柱２１の下端間同士を結合する複数本の梁２３とを備え、略直方体状に形成された骨組みを有するものである。これら複数本の柱２１と、上下の梁２２，２３との結合箇所は接合部材２４を介して剛接合されている。そして一対の建物ユニット２の少なくとも１つの互いの上側の梁２２ａが直線状に配置されるように、一対の建物ユニット２が隣接配置されている。この一対の建物ユニットにおける直線状に配置された互いの上側の梁２２ａを備える側面は、外部に面する外壁部５となる。
【００２０】
一対の建物ユニット２における直線状に配置された互いの上側の梁２２ａには、梁２２ａに沿って延在し、上側の梁２２ａ同士に結合される補強梁３が設けられている。この補強梁３の端部以外の部分に対向する柱２１は取り外されている（図８参照）。
【００２１】
図３は補強梁３の概略構成を示す斜視図である。補強梁３は、断面縦長の長方形であって、継目なく一体成形された直線状の筒状部材である梁本体３１と、この梁本体３１の高さ方向中間の所定位置に設けられた平板状の接続部３２とを備えている。接続部３２は、梁本体３１の中央に設けられた中央接続部３３と、梁本体３１の端部に設けられた端部接続部３４とを含んで構成されている。中央接続部３３及び端部接続部３４は、梁本体３１を挟んで外側に延在している。
外壁部５をなす一対の柱２１の上端部に取り付けられた接合部材２４に対しては、補強梁３の端部接続部３４が接合されている。また、直線状に配置された上側の梁２２ａの内側端部に取り付けられた接合部材２４に対しては、補強梁３の中央接続部３３が接合されている。これらの接合部材２４には、直線状に配置された上側の梁２２ａが接合されているので、当該梁２２ａに対して間接的に補強梁３が結合されることになる。
【００２２】
また、図１又は図２に示すようにユニット式建物１には、補強梁３に対向するように外壁部５に取り付けられた外壁パネルユニット４が設けられている。外壁パネルユニット４には、玄関部４１と、玄関部４１の両側方に配置された外壁パネル部４２とが設けられている。
玄関部４１は、開口部４３と、開口部４３を開閉する扉４４とが設けられている。開口部４３は、外壁部５をなす一対の柱２１のうち、一方の柱２１の内側から、一対の建物ユニット２のうち取り外された柱２１の領域を含むように形成されている。
一対の建物ユニット２における直線状に配置された互いの上側の梁２２ａのうち、開口部４３から離れた箇所には、下側の梁２３まで延在する追加柱６が設けられている。
外壁パネル部４２には、外壁部５をなす一対の柱２１に対向するように、一対の柱４５が設けられている。この一対の柱４５の上端部には補強梁３の中央接続部３３が接合されている。また、外壁パネル部４２の上端部の所定位置には補強梁３の中央接続部３３が接合されている。そして外壁パネル部４２の外周部には壁パネル４６が貼り付けられている。
【００２３】
次に、ユニット式建物１の組立方法について説明する。
まず、直方体形状に形成された建物ユニット２を一対、少なくとも１つの互いの上側の梁２２ａが直線状に配置されるように隣接配置する（図４参照）。ここで、一対の建物ユニット２のうち、１つの建物ユニット２には予め追加柱６が設けられている。この追加柱６は開口部４３から離れた箇所に配置されていて、上側の梁２２ａから下側の梁２３まで延在するように工場で予め取り付けられている。
そして、一対の建物ユニット２の外壁部５に外壁パネルユニット４を対峙させ（図５参照）、外壁部５を覆うように外壁パネルユニット４を取り付ける（図６参照）。これにより、外壁部５に玄関部４１が形成される。
その後、外壁部５をなす一対の柱２１の上端部に取り付けられた接合部材２４に対しては、補強梁３の端部接続部３４を接合する。一方、直線状に配置された上側の梁２２ａの内側端部に取り付けられた接合部材２４に対しては、補強梁３の中央接続部３３を接合する。これにより、直線状に配置された上側の梁２２ａに間接的に補強梁３が結合される（図７参照）。
【００２４】
次に、建物ユニット２における複数本の柱２１のうち、補強梁３の端部以外の部分に対向する柱２１を取り外す（図８参照。なお図８においては便宜上壁パネルユニット４を省略している。）。これにより、図１に示すユニット式建物１が組み立てられる。
【００２５】
以上のように、本実施形態によれば、一対の建物ユニット２における直線状に配置された互いの上側の梁２２ａを備える外壁部５に、取り外された柱２１の領域を含むように開口部４３が形成されているので、１つの建物ユニットの柱間に開口部を設ける場合よりも大きな開口部４３を形成することができる。
そして、隣接する一対の建物ユニット２における直線状に配置された互いの上側の梁２２ａに、当該梁２２ａに沿って延在する補強梁３が、前記互いの上側の梁２２ａ同士に結合されているので、柱２１が取り除かれたとしても建物ユニット２の剛性を維持することができる。
したがって、建物ユニット２の剛性の低下を押さえつつも開口部４３の拡大化が可能となる。
【００２６】
また、開口部４３を遮らない位置に追加柱６が設けられているので、追加柱６によって補強されることとなり、開口部４３の大きさを確保しつつも、建物ユニット２の剛性を高めることができる。
また、開口部４３の機能的構造を備えた外壁パネルユニット４が、一対の建物ユニット２における外壁部５に取り付けられているので、外壁パネルユニット４を工場で製作し、現場で一対の建物ユニット２に取り付けることが可能となる。これにより、現場での作業性を高めることができる。
さらに、補強梁３が外壁パネルユニット４にも連結されているので、外壁パネルユニット４の剛性も高めることができる。
【００２７】
なお、上記実施形態では、開口部４３の機能的構造として玄関部４１を例示して説明したが、開口部４３の機能的構造としてはこれ以外でもよく、例えば窓部やバルコニー部などが挙げられる。
また、上記実施形態では一対の建物ユニット２に対して外壁部５を覆うように外壁パネルユニット４を取り付けることで開口部４３を形成する場合を例示して説明したが、一対の建物ユニット２に壁パネルが貼り付けられる場合には、壁パネルを切り出すことで直接開口部を形成してもよい。
【符号の説明】
【００２８】
１      ユニット式建物
２      建物ユニット
３      補強梁
４      外壁パネルユニット
５      外壁部
６      追加柱
２１      柱
２２      梁
２３      梁
４１      玄関部
４２      外壁パネル部
４３      開口部
【図１】
2014043753.tif 000003
【図２】
2014043753.tif 000004
【図３】
2014043753.tif 000005
【図４】
2014043753.tif 000006
【図５】
2014043753.tif 000007
【図６】
2014043753.tif 000008
【図７】
2014043753.tif 000009
【図８】
2014043753.tif 000010
【図９】
2014043753.tif 000011